(57)【要約】【課題】腹圧を高めて、運動動作のパフォーマンスを向上することができる腹腔を圧迫するベルトを提供する。【解決手段】布地を有する腹腔圧迫ベルトであって、５％伸長時の引張強さが３Ｎ／ｃｍ以上であり、１０％伸長時の引張強さが１５Ｎ／ｃｍ以上である部分を有する。腹腔圧迫ベルトの長手方向の中央２０％の領域における曲げ硬さが１．０８ｍＮ・ｍ以上であることが好ましい。また、腹腔圧迫ベルトの長手方向の中央２０％の領域における厚みが７ｍｍ以下であることが好ましい。腹腔圧迫ベルトは肋骨と腸骨の間に好ましく装着される。【選択図】図２
2018089007.tif 000002
【特許請求の範囲】
【請求項１】
布地を有する腹腔圧迫ベルトであって
５％伸長時の引張強さが３Ｎ／ｃｍ以上であり、１０％伸長時の引張強さが１５Ｎ／ｃｍ以上である部分を有することを特徴とする腹腔圧迫ベルト。
【請求項２】
布地を有する腹腔圧迫ベルトであって
５％伸長時の引張強さが３Ｎ／ｃｍ以上である部分を有しており、破断伸び率が５％超であることを特徴とする腹腔圧迫ベルト。
【請求項３】
前記腹腔圧迫ベルトの長手方向の中央２０％の領域における曲げ硬さが１．０８ｍＮ・ｍ以上である請求項１または２に記載の腹腔圧迫ベルト。
【請求項４】
前記腹腔圧迫ベルトの長手方向の中央２０％の領域における厚みが７ｍｍ以下である請求項１〜３のいずれか一項に記載の腹腔圧迫ベルト。
【請求項５】
前記布地がメッシュ生地を有する請求項１〜４のいずれか一項に記載の腹腔圧迫ベルト。
【請求項６】
前記腹腔圧迫ベルトを長手方向に二等分割したときの一方側と他方側にそれぞれ幅狭部が設けられている請求項１〜５のいずれか一項に記載の腹腔圧迫ベルト。
【請求項７】
前記幅狭部が装着者の左右の体側部であって、肋骨と腸骨の間に対応する位置に設けられている請求項６に記載の腹腔圧迫ベルト。
【請求項８】
前記腹腔圧迫ベルトの周縁部に縁取り部材が設けられている請求項１〜７のいずれか一項に記載の腹腔圧迫ベルト。
【請求項９】
前記腹腔圧迫ベルトの長手方向の一方側に腹腔圧迫ベルトの周長を調整する調整手段が設けられている請求項１〜８のいずれか一項に記載の腹腔圧迫ベルト。
【請求項１０】
前記調整手段が面ファスナーである請求項９に記載の腹腔圧迫ベルト。
【請求項１１】
前記面ファスナーを前記腹腔圧迫ベルトの幅方向に三等分割したときの中央部に前記布地に固定されている固定部が形成されている請求項１０に記載の腹腔圧迫ベルト。
【請求項１２】
請求項１〜１１のいずれか一項に記載の腹腔圧迫ベルトが固定されている衣料。
【請求項１３】
請求項１〜１１のいずれか一項に記載の腹腔圧迫ベルトを挿入するための通路が設けられている衣料。
【請求項１４】
請求項１〜１１のいずれか一項に記載の腹腔圧迫ベルトの装着方法であって、
前記腹腔圧迫ベルトを肋骨と腸骨の間に装着することを特徴とする腹腔圧迫ベルトの装着方法。
【発明の詳細な説明】
【技術分野】
【０００１】
本発明は、腹腔を圧迫するベルト、特に運動時に装着するベルトに関する。
【背景技術】
【０００２】
運動動作のパフォーマンスの向上を目的とした、ウェストに着用するベルトサポーターが開発されている（例えば、特許文献１）。当該ベルトサポーターは、弾性糸と非弾性糸とから編成される編地を複数枚縫製し積層したベルト本体から成るベルトサポーターであって、ベルト本体の締付方向の引張物性は、伸長率５％の引張荷重がベルト幅１０ｍｍ当たり３〜７Ｎであり、且つ伸長率１０％の引張荷重がベルト幅１０ｍｍ当たり５〜１２Ｎである。
【先行技術文献】
【特許文献】
【０００３】
【特許文献１】特開２０１４−２１２８６４号公報
【発明の概要】
【発明が解決しようとする課題】
【０００４】
しかし、特許文献１に記載されているベルトサポーターは、ベルト本体に弾性糸を使用しているため、運動時に着用してもウェストの締め付け、すなわち腹圧の上昇が十分でなく未だ改善の余地があった。
【０００５】
そこで、本発明は、腹圧を高めて、運動動作のパフォーマンスを向上することができる腹腔を圧迫するベルトを提供することを目的とする。
【課題を解決するための手段】
【０００６】
上記課題を解決した本発明の腹腔圧迫ベルトは、布地を有する腹腔圧迫ベルトであって
５％伸長時の引張強さが３Ｎ／ｃｍ以上であり、１０％伸長時の引張強さが１５Ｎ／ｃｍ以上である部分を有する点に要旨を有する。本発明の腹腔圧迫ベルトは、高い引張強さを有しているため、長手方向に伸長しにくく、腹腔を圧迫しやすいものである。このため、腹圧が高められやすく、運動動作のパフォーマンスを向上することができる。
【０００７】
また、上記課題を解決した本発明の他の腹腔圧迫ベルトは、布地を有する腹腔圧迫ベルトであって、５％伸長時の引張強さが３Ｎ／ｃｍ以上である部分を有しており、破断伸び率が５％超である点に要旨を有する。このようなベルトも長手方向に伸長しにくく、腹腔を圧迫しやすいものである。このため、腹圧が高められやすく、運動動作のパフォーマンスを向上することができる。
【０００８】
腹腔圧迫ベルトの長手方向の中央２０％の領域における曲げ硬さが１．０８ｍＮ・ｍ（１１ｇｆ・ｃｍ2／ｃｍ）以上であることが好ましい。上記数値範囲の曲げ硬さを有する腹腔圧迫ベルトは、適度にハリやコシを有し、変形しにくいため、腹腔を圧迫するのに適している。
【０００９】
腹腔圧迫ベルトの長手方向の中央２０％の領域における厚みが７ｍｍ以下であることが好ましい。上記数値範囲の厚みを有する腹腔圧迫ベルトは、腹腔の圧迫に必要な引張強さが得られるとともに、装着者が運動動作を行いやすいものである。
【００１０】
布地がメッシュ生地を有していることが好ましい。これにより、ベルトの通気性を高めることができる。
【００１１】
腹腔圧迫ベルトの周縁部に縁取り部材が設けられていてもよい。これにより、腹腔圧迫ベルトの周縁部から布地がほつれることを抑制でき、また、腹腔圧迫ベルトの引張強さを高めることができる。
【００１２】
腹腔圧迫ベルトを長手方向に二等分割したときの一方側と他方側にそれぞれ幅狭部が設けられていることが好ましく、幅狭部が装着者の左右の体側部であって、肋骨と腸骨の間に対応する位置に設けられていることが好ましい。これにより、腹腔圧迫ベルトが装着者の肋骨や腸骨と当接して運動動作を阻害することを抑制できる。
【００１３】
腹腔圧迫ベルトの長手方向の一方側に腹腔圧迫ベルトの周長を調整する調整手段が設けられていることが好ましい。調整手段は面ファスナーであることが好ましい。これにより、腹腔圧迫ベルトを容易に着脱することができる。また、面ファスナーを腹腔圧迫ベルトの幅方向に三等分割したときの中央部に布地に固定されている固定部が形成されていてもよい。これにより、面ファスナーが布地から浮き上がりにくくなる。
【００１４】
本発明は、上記腹腔圧迫ベルトが固定されている衣料や上記腹腔圧迫ベルトを挿入するための通路が設けられている衣料を含む。このような衣料を着用することによってベルトが容易に腹腔を圧迫することができる。
【００１５】
上記課題を解決した本発明の腹腔圧迫ベルトの装着方法は、腹腔圧迫ベルトを肋骨と腸骨の間に装着する点に要旨を有する。腹腔圧迫ベルトが肋骨や腸骨と当接すると、まずこれらの骨が押されるため腹腔に対する十分な圧力が得られないが、肋骨と腸骨の間に装着することによってベルトが腹腔を直接圧迫することができる。
【発明の効果】
【００１６】
本発明の腹腔圧迫ベルトは、長手方向に伸長しにくく、腹腔を圧迫しやすいものである。このため、腹圧が高められやすく、運動動作のパフォーマンスを向上することができる。
【図面の簡単な説明】
【００１７】
【図１】本発明の腹腔圧迫ベルトの装着位置を示す模式図を表す。
【図２】本発明の腹腔圧迫ベルトの装着位置を示す模式図を表す。
【図３】本発明の腹腔圧迫ベルトを表面側から見た図を表す。
【図４】本発明の腹腔圧迫ベルトを裏面側から見た図を表す。
【図５】図３に示す腹腔圧迫ベルトのＶ−Ｖ線における断面図を表す。
【図６】図５に示す腹腔圧迫ベルトの変形例を示す断面図を表す。
【図７】図３に示す腹腔圧迫ベルトのＶＩＩ−ＶＩＩ線における断面図を表す。
【発明を実施するための形態】
【００１８】
以下、本発明に係る腹腔圧迫ベルトに関して、図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００１９】
図１〜図２は、本発明の腹腔圧迫ベルト１の装着位置を示す模式図を表し、図３は腹腔圧迫ベルト１を表面側から見た平面図を表し、図４は裏面側から見た平面図を表す。図１〜図２に示すように、本発明において腹腔圧迫ベルト１とは、横隔膜５１の下面から骨盤５２の入口部に至る空間である腹腔５３を圧迫するための長尺物である。以下では、腹腔圧迫ベルトを単に「ベルト」と称することがある。
【００２０】
本発明において衣料やベルトの裏面側とは、衣料やベルトを着用した際の着用者の肌に向く側を意味し、衣料やベルトの表面側とは、衣料やベルトを着用した際の着用者とは反対側を意味する。
【００２１】
まず、ベルトの装着方法（装着位置）を説明する。腹腔を圧迫することが出来ればその装着位置は特に制限されないが、図１〜図２に示すように、ベルト１を肋骨５５と腸骨５７の間に装着することが好ましい。ベルト１が肋骨５５や腸骨５７と当接すると、まずこれらの骨が押されるため腹腔５３に対する十分な圧力が得られないが、ベルト１を肋骨５５と腸骨５７の間に装着すると腹腔５３を直接圧迫することができる。具体的には、ベルト１を第１２肋骨５６と腸骨５７の間に装着することがより好ましく、第１２肋骨５６の下端５６ａと腸骨５７の上端５７ａの間に装着することがさらに好ましい。より簡便な方法として、図２に示すようにへその位置５４にベルト１を装着してもよい。一般に、へそは肋骨５５と腸骨５７の間に位置しているため、へその位置５４を目安にしてベルト１を装着してもよい。
【００２２】
図３〜図４に示すように、ベルト１は布地１０を有する。布地１０は、例えば織物、編物、不織布、これらに樹脂が積層された材料から構成される。織物の織組織や編物の編組織は、適宜設定すればよく、限定はされないが、例えば、織物であれば、平織、綾織、斜文織、朱子織などの組織の織物を挙げることができ、編物であれば、丸編み、緯編み、経編みなどの組織の編物を挙げることができる。本発明の布地１０を構成する繊維としては、例えば、綿・絹等の天然繊維、ポリエステル・ポリエチレン・ナイロン等の合成繊維が挙げられる。布地１０の目付は、特に限定されないが、例えば、５０ｇ／ｍ2以上であってもよく、１００ｇ／ｍ2以上であってもよく、１５０ｇ／ｍ2以上であってもよく、また、５００ｇ／ｍ2以下であってもよく、４５０ｇ／ｍ2以下であってもよく、４００ｇ／ｍ2以下であってもよい。
【００２３】
ベルト１の通気性を高めるためには、布地１０はメッシュ生地を有することが好ましい。メッシュ生地の編組織の種類は特に限定されないが、例えば、シングルラッセル、ダブルラッセルを用いることができる。
【００２４】
ベルト１の布地１０は、１または複数の上述した種類の布地によって構成される。１枚の布地から構成されているベルト１は製造が容易である。布地１０が複数の布地から構成されていれば、ベルト１の強度を高めることができる。なお、図５は図３に示すベルトのＶ−Ｖ線における断面図を表す。図３〜図４に示すように、布地が１枚であっても、複数の布地から構成されていても、各布地に機能を付与することができる。図５に示すように、布地１０は、第１布地１１と、該第１布地１１の裏面側に積層されている第２布地１２を有していてもよい。ベルト１を複数の布地１０から構成する方法としては、厚み方向に積層された複数の布地１０同士を縫着、接着、溶着等によって互いに接合することが挙げられる。図示していないが、ベルトは複数の布地を、例えばベルトの長手方向に繋ぎ合わせることによって構成することもできる。
【００２５】
ベルトが複数の布地を有している場合、少なくともいずれか１つの布地がメッシュ生地であることが好ましい。より好ましくは、最も肌側に配置されている布地がメッシュ生地である。肌に近い側の布地の通気性が高められるため、ベルト１が肌に貼り付くことを抑制できる。さらに好ましくは全ての布地がメッシュ生地である。これにより、ベルト全体の通気性を高めることができる。特に、肌側に配置されている布地は、ダブルラッセルのメッシュ生地であることが好ましい。ダブルラッセルのメッシュ生地は立体構造でクッション性を有しているため肌当たりが良好となる。
【００２６】
図５に示すように、ベルト１の周縁部に縁取り部材２０が設けられていてもよい。ベルト１の周縁部から布地１０がほつれることを抑制でき、また、ベルト１の引張強さを高めることができる。ここで、ベルト１の周縁部とは、ベルト１の周端縁を含み、１０ｍｍ以内の領域が好ましく、より好ましくは８ｍｍ以内の領域である。縁取り部材２０は、例えば周端縁を含み、４ｍｍ以内、６ｍｍ以内の領域に設けられていてもよい。
【００２７】
図５に示すように、ベルト１の周縁部の全体に縁取り部材２０が設けられていることが好ましい。縁取り部材２０としては、ベルト１の布地１０として好ましく用いられる布地１０を使用できる。縁取り部材２０とベルト１の布地１０は同じ種類であってもよく、異なる種類であってもよい。ベルト１の布地１０がメッシュ生地等の編物であり、縁取り部材２０が織物であることが好ましい。このように編物と織物を組み合わせることによって、ベルト１の引張強さを高めやすくなる。
【００２８】
ベルト１は、５％伸長時の引張強さが３Ｎ／ｃｍ以上であり、かつ、１０％伸長時の引張強さが１５Ｎ／ｃｍ以上である部分を有しているか、または５％伸長時の引張強さが３Ｎ／ｃｍ以上である部分を有しており、破断伸び率が５％超のものである。このように本発明のベルト１は長手方向に伸長しにくく、腹腔を圧迫しやすいものであるため、腹圧が高められやすくなる。また、胸部、腹部、骨盤を含む体幹部が安定するため、脊柱への負荷を軽減することができ、運動動作のパフォーマンスを向上させることができる。本発明において、５％および１０％伸長時の引張強さと破断伸び率は、「ＪＩＳ  Ｌ１０９６：２０１０  織物及び編物の生地試験方法  ＪＩＳ法  Ｂ法（グラブ法）」に準じて計測される。ここで、５％伸長時および１０％伸長時の引張強さおよび破断伸び率はベルトの長手方向に伸長させたときの値である。
【００２９】
ベルト１の５％伸長時の引張強さは５Ｎ／ｃｍ以上であってもよく、１０Ｎ／ｃｍ以上であってもよく、１５Ｎ／ｃｍ以上であってもよい。また、ベルト１の１０％伸長時の引張強さは、２０Ｎ／ｃｍ以上であってもよく、２５Ｎ／ｃｍ以上であってもよく、３０Ｎ／ｃｍ以上であってもよい。また、ベルト１の５％伸長時および１０％伸長時の引張強さの上限は特に限定されないが、例えば、７０Ｎ／ｃｍ以下や５０Ｎ／ｃｍ以下にすることができる。上記数値範囲の引張強さを有しているベルト１は伸長しにくいため、腹腔を圧迫する力を強めることができる。
【００３０】
ベルト１の破断伸び率は、５％超であればよく、６％以上であってもよく、８％以上であってもよく、１０％以上であってもよい。また、ベルト１の破断伸び率の上限は特に限定されないが、例えば３０％以下や２０％以下にすることができる。
【００３１】
ベルト１は、長手方向の中央２０％の領域全体で上記数値範囲の引張強さや破断伸び率を有していることが好ましく、より好ましくは中央５０％の領域全体、さらに好ましくは中央７０％の領域、特に好ましくは長手方向の全体で上記数値範囲の引張強さや破断伸び率を有する。また、ベルト１の長手方向の一方側と他方側にベルト１の周長を調整する調整手段（例えば、面ファスナー）が設けられており、装着時にベルト１の一方側が他方側に重なって接続される場合、ベルト１の一方側であって他方側と重なる部分と、ベルト１の他方側であって一方側と重なる部分の少なくともいずれか一方が上記数値範囲の引張強さを有することが好ましい。この場合、他方は上記数値範囲の引張強さを有していなくてもよい。これにより、腹腔を周方向の多くの部分で圧迫することができるため、腹圧がより一層上昇する。また、ベルト１に幅狭部２が設けられている場合、ベルト１は、幅狭部２で上記数値範囲の引張強さを有していてもよい。
【００３２】
布地１０には樹脂加工が施されていてもよい。この場合、繊維や糸が樹脂で被覆されていてもよく、布地１０の表面と裏面の少なくともいずれか一方に樹脂層が形成されていてもよい。樹脂加工には、例えば、ポリエステルやナイロン等の合成樹脂を用いることができる。これにより、布地１０を硬めに仕上げることができるため、ベルト１が長手方向に伸長しにくくなる。また、糸のほつれを抑制することもできる。
【００３３】
ベルト１は、長手方向の中央２０％の領域における曲げ硬さが１．０８ｍＮ・ｍ（１１ｇｆ・ｃｍ2／ｃｍ）以上であることが好ましい。曲げ硬さは、カトーテック株式会社製  純曲げ試験機（ＫＥＳ−ＦＢ２−Ｓ）によって計測される曲げ剛性Ｂ（Ｂ＝０．０の値とＢ＝０．３の値を結んだ直線の傾き）を３回測定したときの平均値である。曲げ硬さはその値が大きいほどベルト１が硬いことを示す。上記数値範囲の曲げ硬さを有するベルト１は、適度にハリやコシを有し、変形しにくいため、腹腔を圧迫するのに適している。なお、ベルト１の長手方向の中央２０％の領域内のどこで計測しても曲げ硬さが１．０８ｍＮ・ｍ（１１ｇｆ・ｃｍ2／ｃｍ）以上であることがより好ましい。
【００３４】
ベルト１は、長手方向の中央２０％の領域における曲げ硬さが１．２７ｍＮ・ｍ（１３ｇｆ・ｃｍ2／ｃｍ）以上であることが好ましく、１．４７ｍＮ・ｍ（１５ｇｆ・ｃｍ2／ｃｍ）以上であることがより好ましく、１．９６ｍＮ・ｍ（２０ｇｆ・ｃｍ2／ｃｍ）以上であることがさらに好ましく、２．４５ｍＮ・ｍ（２５ｇｆ・ｃｍ2／ｃｍ）以上であることがさらにより好ましく、２．９４ｍＮ・ｍ（３０ｇｆ・ｃｍ2／ｃｍ）以上であることが特に好ましい。また、ベルト１の長手方向の中央２０％の領域における曲げ硬さの上限は特に限定されないが、例えば７．８５ｍＮ・ｍ（８０ｇｆ・ｃｍ2／ｃｍ）以下や９．８１ｍＮ・ｍ（１００ｇｆ・ｃｍ2／ｃｍ）以下にすることができる。これにより、ベルト１は適度なハリやコシを有し、変形しにくいため、腹圧が高められやすくなる。
【００３５】
ベルト１は、長手方向の中央３０％の領域で上記数値範囲の曲げ硬さを有していることが好ましく、より好ましくは中央５０％の領域、さらに好ましくは中央７０％の領域で上記数値範囲の曲げ硬さを有する。
【００３６】
図６は、図５に示すベルト１の変形例を示す断面図である。図６に示すように、布地１０が、第１布地１１と、第１布地１１の裏面側に積層されている第２布地１２と、第１布地１１の表面側に積層されている第３布地１３とを有していてもよい。この場合、第１布地１１の曲げ硬さが、第２布地１２および第３布地１３の曲げ硬さよりも大きいことが好ましい。曲げ硬さが、第２布地１２、第３布地１３、第１布地１１の順に大きいことがより好ましい。これにより、ベルト１の肌当たりを良好にしつつ、ベルト１全体の曲げ硬さを適切に設定することができる。
【００３７】
ベルト１は、長手方向の中央２０％の領域における厚みが７ｍｍ以下であることが好ましく、より好ましくは６ｍｍ以下、さらに好ましくは５ｍｍ以下、さらにより好ましくは４ｍｍ以下、特に好ましくは３ｍｍ以下である。上記数値範囲の厚みを有するベルト１は、腹腔の圧迫に必要な引張強さが得られるとともに、装着者５０が運動動作を行いやすいものである。ベルト１の厚みは、厚み計測器「Ｐｅａｃｏｃｋ／ＤＩＡＬ  ＴＨＩＣＫＮＥＳＳ  ＧＡＵＧＥ  ０．０１ｍｍタイプ」（尾崎製作所製）を用いて３回計測した平均値である。
【００３８】
ベルト１は、後述する調整手段が設けられていない部分で、上記の数値範囲の厚みを有していることが好ましく、ベルト１全体で上記の数値範囲の厚みを有していることがより好ましい。装着者５０が運動動作をより一層行いやすくなる。
【００３９】
ベルト１は、長手方向の中央２０％の領域における幅が６０ｍｍ以下の場合、長手方向の中央２０％の領域における曲げ硬さが１．０８ｍＮ・ｍ（１１ｇｆ・ｃｍ2／ｃｍ）以上であることが好ましい。ベルト１が上記の幅と曲げ硬さを有していれば、ベルト１は幅方向に折り曲げられにくくなるため、腹腔の押圧効果を得やすくなる。ベルト１は、長手方向の中央２０％の領域における幅が６０ｍｍ以下の場合、長手方向の中央２０％の領域における曲げ硬さが１．４７ｍＮ・ｍ（１５ｇｆ・ｃｍ2／ｃｍ）以上であることがより好ましく、さらに好ましくは１．９６ｍＮ・ｍ（２０ｇｆ・ｃｍ2／ｃｍ）以上、特に好ましくは２．４５ｍＮ・ｍ（２５ｇｆ・ｃｍ2／ｃｍ）以上である。
【００４０】
ベルト１の幅は、特に限定されないが、装着者５０の第１２肋骨５６と腸骨５７との間の最短距離よりも短いことが好ましい。これにより、腹腔を効率よく押圧することができる。ベルト１の具体的な幅は、装着者５０の体格に応じて設定することができるが、例えば、１００ｍｍ以下であることが好ましく、８０ｍｍ以下であることがより好ましく、６０ｍｍ以下であることがさらに好ましい。
【００４１】
ベルト１の長手方向の長さは、装着者５０の体格に応じて設定することができるが、例えば、子供用であれば、例えば５００ｍｍ以上が好ましく、より好ましくは６００ｍｍ以上に設定できる。女性用であれば、例えば７００ｍｍ以上が好ましく、より好ましくは８００ｍｍ以上である。男性用であれば、例えば８００ｍｍ以上が好ましく、より好ましくは９００ｍｍ以上、さらに好ましくは１０００ｍｍ以上である。
【００４２】
ベルト１の幅は長手方向において一定であってもよく、ベルト１に幅狭部２が設けられていてもよい。幅狭部２は、ベルト１の最大幅よりも狭く形成されている部分であり、例えば、ベルト１の長手方向において両側よりも狭くなっている部分や、くびれた部分である。図３〜図４に示すように、幅狭部２は、ベルト１を長手方向に二等分割したときの一方側と他方側にそれぞれ設けられていることが好ましい。具体的には、図１〜図２に示すように、幅狭部２が装着者５０の左右の体側部であって、肋骨５５と腸骨５７の間に対応する位置に設けられていることがより好ましい。これにより、ベルト１が装着者５０の肋骨５５や腸骨５７と当接して運動動作を阻害することを抑制できる。ここで、装着者５０の左右の体側部とは装着者５０が横を向いたときに見える部分であるが、図１では装着者５０の右側から見た体側部が示されている。具体的には、幅狭部２は、装着者５０の左右の体側部であって、第１２肋骨５６の下端と腸骨５７の上端の間に対応する位置に設けられていることがさらに好ましい。換言すれば、幅狭部２の幅は、装着者５０の第１２肋骨５６の下端５６ａから腸骨５７の上端５７ａまでの距離よりも短いことが好ましい。
【００４３】
幅狭部２は、ベルト１の最大幅の９０％以下の幅を有していることが好ましく、より好ましくは８０％以下の幅、さらに好ましくは７０％以下の幅、特に好ましくは６０％以下の幅を有する。上記数値範囲の幅狭部２を有するベルト１は、装着者５０の体側部で肋骨５５や腸骨５７と当接しにくいため、運動動作を行いやすいものである。一方で腹腔を圧迫するのに必要な引張強さを得るためには、幅狭部２は、ベルト１の最大幅の３０％以上の幅を有していることが好ましく、より好ましくは４０％以上の幅、さらに好ましくは５０％以上の幅を有する。
【００４４】
ベルト１の形状は、ベルト１の幅を二等分割する線ＷＣに対して対称であることが好ましい。これにより、ベルト１の製造を行いやすくなり、生産性が向上する。図示していないが、ベルトの形状は、ベルトの幅を二等分割する線ＷＣに対して非対称であってもよい。また、ベルト１の形状は、ベルト１の全長を二等分割する線ＬＣに対して対称であってもよく、非対称であってもよい。
【００４５】
ベルト１の長手方向の一方側にベルト１の周長を調整する調整手段が設けられていることが好ましい。ベルト１を長手方向に二等分割したときの一方側と他方側に調整手段が設けられることがより好ましい。装着者の腹周りにあわせてベルト１の周長を調整することができる。調整手段は、ベルト１の長手方向の一方側と他方側を互いに接続することができるものであれば特に限定されないが、スライドファスナー、面ファスナー、ボタンとボタンホール、スナップボタン、ホック、バックル等を用いることができる。図３〜図４に示すように、調整手段は面ファスナー３１であることが好ましい。ベルト１を容易に着脱することができるからである。面ファスナーとしては、例えば、ベルクロ（登録商標）やクイックロン（登録商標）を用いてもよく、その他、特許第５５６４２４６号明細書や特許第５７１１９０１号明細書に記載されているような柔らかい質感を有するスティッキーファブリックを用いてもよい。
【００４６】
図３〜図４に示すように、ベルト１の長手方向の一方側であって表面側にはループ型面ファスナー３１（３１Ａ）が設けられており、ベルト１の長手方向の他方側であって裏面側にはループ型面ファスナー３１Ａと係合するフック型面ファスナー３１（３１Ｂ）が設けられている。ベルト１を装着してループ型面ファスナー３１Ａとフック型面ファスナー３１Ｂを係合させると、ループ型面ファスナー３１Ａが外側を向き、フック型面ファスナー３１Ｂが肌側を向くようになっている。
【００４７】
面ファスナー３１の周縁部がベルト１の布地１０と好ましく固定される。面ファスナー３１とベルト１の布地１０は、例えば、縫合、溶着、接着等の方法で固定することができる。また、図３に示すように、面ファスナー３１をベルト１の幅方向に三等分割したときの中央部３３に、布地１０に固定されている固定部３４が形成されていてもよい。布地１０と面ファスナー３１が面ファスナー３１の周縁部だけで固定されている場合に比べて、布地１０と面ファスナー３１がより強固に固定されるため、布地１０から面ファスナー３１が浮き上がることを抑制できる。このため、１つの面ファスナー３１が長手方向に比較的長め（例えば、１つの面ファスナー３１が、ベルト１全長の１５％以上の長さを有する）に設けられる場合に好適に使用できる。固定部３４は、例えば、布地１０と面ファスナー３１とを縫合、溶着、接着することによって形成される。図７において固定部３４は、布地１０と面ファスナー３１を互いに固定する縫い目（ステッチ）である。なお、図３ではループ型面ファスナー３１Ａのみに固定部３４が形成されているが、固定部３４は、フック型面ファスナー３１Ｂのみに形成されていてもよく、ループ型面ファスナー３１Ａとフック型面ファスナー３１Ｂの両方に形成されていてもよい。
【００４８】
固定部３４は、１つの面ファスナー３１に対して複数設けられていてもよい。固定部３４は、面ファスナー３１の長手方向の一部に設けられていてもよく、長手方向の中央２５％の領域全体に設けられていてもよく、面ファスナー３１の長手方向全体にわたって設けられていてもよい。固定部３４が面ファスナー３１の長手方向全体に設けられていれば、面ファスナ−３１の浮き上がりをより一層抑制できる。
【００４９】
ベルト１は、ベルト１の長手方向の一方側と他方側を接続するための補助調整手段３５をさらに有していてもよい。これにより、激しい運動動作を行ってもベルト１が外れにくくなる。図３〜図４では、補助調整手段３５として、長さを調節可能な帯状部材３６、３８に接続されたバックル３７、３９を用いている。具体的には、ベルト１の長手方向に沿って延在する帯状部材３６にバックル３７が接続されており、帯状部材３６の一方端部がベルト１の長手方向の一方側（図３では一方端部）であって表面側に固定されている。また、ベルト１の長手方向に沿って延在する他の帯状部材３８にバックル３９が接続されており、帯状部材３８の他方側が長手方向の他方側（図３ではループ型面ファスナー３１Ａとベルト１の全長の二等分線ＬＣの間）であって表面側に固定されている。そして、バックル３７、３９を互いに係合できるようになっている。このほか、補助調整手段３５としては、調整手段と同様のものを用いることができる。なお、補助調整手段３５の帯状部材３６、３８は、ベルト１の幅方向に沿って延在していてもよい。
【００５０】
本発明には、上記ベルト１が固定されている衣料も含まれる。衣料に上記ベルト１が固定されていることによっても、腹腔を圧迫することができ、腹圧を高めることができる。縫合、溶着、接着等の方法を用いて、衣料にベルト１を固定することができる。
【００５１】
本発明において衣料とは身に着けるものであり、コート、ジャケット、ジャンパー、シャツ等の上衣、ズボン、スカート、スパッツ等の下衣、ワンピース、つなぎ等の上衣と下衣が一体化したつなぎ服を含む。また、本発明の衣料は、スポーツ用、アウトドア用として好適に用いられる。
【００５２】
本発明には、上記ベルト１を挿入するための通路が設けられている衣料も含まれる。通路は、衣料に設けられているベルト通し（ベルトループ）によって形成される通路であってもよく、複数の布地１０を互いに固定するか又は布地１０を折り返して固定することによって形成される筒状部の内側であってもよい。
【実施例】
【００５３】
＜検証１＞
本発明のベルトの未装着時および装着時におけるジャンプ力、瞬発力、着地安定性、ダッシュ力、疲労軽減性の変化について評価した。評価に使用したベルトには、装着者の左右の体側部であって、肋骨と腸骨の間に対応する位置に幅狭部が設けられていた。ベルトの布地は、芯材としての第１布地と、第１布地の裏面側（肌側）に積層されている第２布地の２層で構成されていた。第１布地は、組成がナイロン１００％で、目付が１６０ｇ／ｍ2のシングルラッセルのメッシュ生地であり、表側面および裏側面には樹脂加工が施されていた。第２布地は、組成がポリエステル１００％で、目付が１９０ｇ／ｍ2のダブルラッセルのメッシュ生地であった。ベルトの長手方向の一方側および他方側には、ベルトの周長を調整する調整手段として面ファスナーを設けた。
【００５４】
ベルトは男女共用であって、長さが９４０ｍｍ、最大幅が６０ｍｍ、幅狭部の最小幅が４０ｍｍ、厚みが２．４５ｍｍ、５％伸長時の引張強さが２２．４Ｎ／ｃｍ、１０％伸長時の引張強さが３７．８Ｎ／ｃｍ、曲げ硬さが３．４３ｍＮ・ｍ（３５ｇｆ・ｃｍ2／ｃｍ）であった。
なお、厚み、５％および１０％伸長時の引張強さ、曲げ硬さの値は腹腔圧迫ベルトの長手方向の中央２０％の領域で計測した。
【００５５】
５％および１０％伸長時の引張強さは、「ＪＩＳ  Ｌ１０９６：２０１０  織物及び編物の生地試験方法  ＪＩＳ法  Ｂ法（グラブ法）」に準じて計測した。試験機は、定速伸長形を用い、引張速度は１００ｍｍ／ｍｉｎであった。
【００５６】
曲げ硬さは、カトーテック株式会社製  純曲げ試験機（ＫＥＳ−ＦＢ２−Ｓ）を用いて計測した曲げ剛性Ｂ＝０．０の値とＢ＝０．３の値を結んだ直線の傾きであった。
【００５７】
厚みは、厚み計測器「Ｐｅａｃｏｃｋ／ＤＩＡＬ  ＴＨＩＣＫＮＥＳＳ  ＧＡＵＧＥ  ０．０１ｍｍタイプ」（尾崎製作所製）を用いて３回計測した平均値である。
【００５８】
（ジャンプ力）
被検者８名（大学生の女性）について、短い接地時間（単位：秒）で２３回連続して高く跳躍したときの跳躍高さ（単位：ｍｍ）を計測した。なお、１〜３回目の跳躍は高さを確保するための準備運動として扱い、４回目以降の２０回分の跳躍高さの平均値を被検者毎に求めた。跳躍高さの計測には、テック技販社製のフォースプレート（型番：ＴＦ−９０１００）を用いた。ベルト未装着時の８名の平均値に対する、装着時の８名の平均値の変化率（単位：％）を求めた。
【００５９】
（瞬発力）
跳躍高さの測定結果に基づき、被検者８名について、１回ごとの跳躍高さ／接地時間（単位：ｍｍ／秒）で表されるリバウンドジャンプ指数（ＲＪ指数）を算出し、跳躍２０回分を平均した。ベルト未装着時の８名の平均値に対する、装着時の８名の平均値の変化率（単位：％）を求めた。
【００６０】
（着地安定性）
被検者８名（大学生の女性）について、前方および側方にそれぞれ４０ｃｍの高さの台からフォースプレート（テック技販社製、型番：ＴＦ−９０１００）上に着地した時の前後、左右、上下の各成分にかかる圧力が安定するまでの時間（単位：秒）を２回計測したときの平均値を求めた。ベルト未装着時の８名の平均値に対する、装着時の８名の平均値の変化率（単位：％）を求めた。
【００６１】
（ダッシュ力）
被検者７名（大学生の男性）について、５０ｍスプリント走をベルト装着時、ベルト未装着時それぞれ２回ずつ行ったときの最高疾走速度（単位：ｍ／秒）を測定した。ベルト未装着時の７名の平均値に対する、装着時の７名の平均値の変化率（単位：％）を求めた。計測にはフォースプレート（テック技販社製、型番：ＴＦ−９０１００）を用いた。
【００６２】
（疲労軽減性）
被検者１０名（大学生の男性）について、２０％の傾斜をつけたトレッドミルで時速３．５ｋｍ／ｈで３０秒歩行した時の外側広筋および内側広筋の平均筋活動量（単位：％ＭＶＣ）を測定した。計測には、Ｄｅｌｓｙｓ社製の三軸加速度計内蔵型筋電システム（Ｔｒｉｇｎｏ）を用いた。ベルト未装着時の１０名の平均値に対する、装着時の１０名の平均値の変化率（単位：％）を求めた。
【００６３】
また、被検者８名（大学生の男性）について、２０段の階段を一段とばしに下りたときの着地時の右脚膝部の左右成分のピーク加速度（膝が内側に入る衝撃）（単位：ｍ／秒）を測定した。計測には、Ｄｅｌｓｙｓ社製の三軸加速度計内蔵型筋電システム（Ｔｒｉｇｎｏ）を用いた。ベルト未装着時の８名の平均値に対する、装着時の８名の平均値の変化率（単位：％）を求めた。
【００６４】
【表１】
2018089007.tif 000003
【００６５】
＜検証２＞
実施例１〜４および比較例１に示すベルトについて、表２に示すとおり、５％伸長時および１０％伸長時における引張強さ、厚み、曲げ硬さを計測した。また、各ベルトの装着時における瞬発力と着地安定性を示す評価指標（ＲＪ指数および前方ならびに側方に跳躍して両足が着地したときの圧力が安定するまでの時間）の値が、ベルトの未装着時の値に対してｔ検定においてｐ＜０．０５で有意差が認められた場合、効果ありと評価した。瞬発力および着地安定性を示す評価指標の測定は検証１と同様にして行った。なお、実施例および比較例で用いたベルトは以下のとおりである。
【００６６】
（実施例１）
検証１で作製したベルトと同様である。
【００６７】
（実施例２）
ベルトの表面側にさらに第３布地を積層して３層で構成した以外は実施例１と同様にしてベルトを作製した。第３布地は、組成がポリエステル１００％で、目付が１００ｇ／ｍ2のウーリーメッシュ生地であった。
【００６８】
（実施例３）
ベルトの布地は、第１布地と、第１布地の裏面側に積層されている第２布地の２層で構成した。第１布地、第２布地には、いずれも一般的な面ファスナーのループ型面ファスナーに使用されるパイル生地を用いた。調整手段として、ベルトの一方側に、第１布地の表面側と係合するフック型面ファスナーを設けた。幅狭部は設けなかった。
【００６９】
（実施例４）
ベルトの布地としては、ダイニーマ（登録商標）繊維を有する１層の布地を用いた。調整手段として、ベルトの一方側にはフック型面ファスナーを、他方側にはループ型面ファスナーを設けた。幅狭部は設けなかった。
【００７０】
（比較例１）
市販の１層で構成されているゴムベルトを用いた。ベルトの一方側にはフック型面ファスナーが、他方側にはループ型面ファスナーが設けられていた。幅狭部はなかった。
【００７１】
【表２】
2018089007.tif 000004
【００７２】
以上のとおり、本発明のベルトを装着することによって各種運動動作のパフォーマンスが向上した。したがって、本発明のベルトは、ランニング、バレーボール、ゴルフ、バイク、水泳、サッカー、テニス、スキー、登山、トレッキング等の各種スポーツの運動動作中に好ましく使用することができる。
【符号の説明】
【００７３】
１：腹腔圧迫ベルト
２、２Ａ、２Ｂ：幅狭部
１０：布地
１１：第１布地
１２：第２布地
１３：第３布地
２０：縁取り部材
３１：面ファスナー
３１Ａ：ループ型面ファスナー
３１Ｂ：フック型面ファスナー
３３：面ファスナーの中央部
３４：面ファスナーの固定部
３５：補助調整手段
５０：装着者
５１：横隔膜
５２：骨盤
５３：腹腔
５４：へその位置
５５：肋骨
５６：第１２肋骨
５６ａ：第１２肋骨の下端
５７：腸骨
５７ａ：腸骨の上端
【図１】
2018089007.tif 000005
【図２】
2018089007.tif 000006
【図３】
2018089007.tif 000007
【図４】
2018089007.tif 000008
【図５】
2018089007.tif 000009
【図６】
2018089007.tif 000010
【図７】
2018089007.tif 000011
【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
布地を有する腹腔圧迫ベルトであって
５％伸長時の引張強さが３Ｎ／ｃｍ以上であり、１０％伸長時の引張強さが１５Ｎ／ｃｍ以上である部分を有することを特徴とする腹腔圧迫ベルト。
【請求項２】
前記腹腔圧迫ベルトの全体が、装着者の肋骨と腸骨の間に対応する位置にある請求項１に記載の腹腔圧迫ベルト。
【請求項３】
前記腹腔圧迫ベルトの長手方向の中央２０％の領域における曲げ硬さが１．０８ｍＮ・ｍ以上である請求項１または２に記載の腹腔圧迫ベルト。
【請求項４】
前記布地は、第１布地と、該第１布地の裏面側に積層されている第２布地を有し、
前記布地に樹脂加工が施されており、
前記第１布地の曲げ硬さが、前記第２布地の曲げ硬さよりも大きい請求項３に記載の腹腔圧迫ベルト。
【請求項５】
前記腹腔圧迫ベルトの長手方向の中央２０％の領域における厚みが７ｍｍ以下である請求項１〜４のいずれか一項に記載の腹腔圧迫ベルト。
【請求項６】
前記布地がメッシュ生地を有する請求項１〜５のいずれか一項に記載の腹腔圧迫ベルト。
【請求項７】
前記腹腔圧迫ベルトを長手方向に二等分割したときの一方側と他方側にそれぞれ幅狭部が設けられており、
前記幅狭部が装着者の左右の体側部であって、肋骨と腸骨の間に対応する位置に設けられている請求項１〜６のいずれか一項に記載の腹腔圧迫ベルト。
【請求項８】
前記腹腔圧迫ベルトの周縁部に縁取り部材が設けられている請求項１〜７のいずれか一項に記載の腹腔圧迫ベルト。
【請求項９】
前記腹腔圧迫ベルトの長手方向の一方側に腹腔圧迫ベルトの周長を調整する調整手段が設けられている請求項１〜８のいずれか一項に記載の腹腔圧迫ベルト。
【請求項１０】
前記調整手段が面ファスナーである請求項９に記載の腹腔圧迫ベルト。
【請求項１１】
前記面ファスナーを前記腹腔圧迫ベルトの幅方向に三等分割したときの中央部に前記布地に固定されている固定部が形成されている請求項１０に記載の腹腔圧迫ベルト。
【請求項１２】
請求項１〜１１のいずれか一項に記載の腹腔圧迫ベルトが固定されている衣料。
【請求項１３】
請求項１〜１１のいずれか一項に記載の腹腔圧迫ベルトを挿入するための通路が設けられている衣料。
【請求項１４】
請求項１〜１１のいずれか一項に記載の腹腔圧迫ベルトの装着方法であって、
前記腹腔圧迫ベルトを肋骨と腸骨の間に装着することを特徴とする腹腔圧迫ベルトの装着方法。
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
布地を有する腹腔圧迫ベルトであって
５％伸長時の引張強さが３Ｎ／ｃｍ以上であり、１０％伸長時の引張強さが１５Ｎ／ｃｍ以上である部分を有することを特徴とする腹腔圧迫ベルト。
【請求項２】
前記腹腔圧迫ベルトの全体が、装着者の肋骨と腸骨の間に対応する位置にある請求項１に記載の腹腔圧迫ベルト。
【請求項３】
前記腹腔圧迫ベルトの長手方向の中央２０％の領域における曲げ硬さが１．０８ｍＮ・ｍ以上である請求項１または２に記載の腹腔圧迫ベルト。
【請求項４】
前記布地は、第１布地と、該第１布地の裏面側に積層されている第２布地を有し、
前記布地に樹脂加工が施されており、
前記第１布地の曲げ硬さが、前記第２布地の曲げ硬さよりも大きい請求項３に記載の腹腔圧迫ベルト。
【請求項５】
前記腹腔圧迫ベルトの長手方向の中央２０％の領域における厚みが７ｍｍ以下である請求項１〜４のいずれか一項に記載の腹腔圧迫ベルト。
【請求項６】
前記布地がメッシュ生地を有する請求項１〜５のいずれか一項に記載の腹腔圧迫ベルト。
【請求項７】
前記腹腔圧迫ベルトを長手方向に二等分割したときの一方側と他方側にそれぞれ幅狭部が設けられており、
前記幅狭部が装着者の左右の体側部であって、肋骨と腸骨の間に対応する位置に設けられている請求項１〜６のいずれか一項に記載の腹腔圧迫ベルト。
【請求項８】
前記腹腔圧迫ベルトの周縁部に縁取り部材が設けられている請求項１〜７のいずれか一項に記載の腹腔圧迫ベルト。
【請求項９】
前記腹腔圧迫ベルトの長手方向の一方側に腹腔圧迫ベルトの周長を調整する調整手段が設けられている請求項１〜８のいずれか一項に記載の腹腔圧迫ベルト。
【請求項１０】
前記調整手段が面ファスナーである請求項９に記載の腹腔圧迫ベルト。
【請求項１１】
前記面ファスナーを前記腹腔圧迫ベルトの幅方向に三等分割したときの中央部に前記布地に固定されている固定部が形成されている請求項１０に記載の腹腔圧迫ベルト。
【請求項１２】
請求項１〜１１のいずれか一項に記載の腹腔圧迫ベルトが固定されている衣料。
【請求項１３】
請求項１〜１１のいずれか一項に記載の腹腔圧迫ベルトの装着方法であって、
前記腹腔圧迫ベルトを肋骨と腸骨の間に装着することを特徴とする腹腔圧迫ベルトの装着方法。